(57)【要約】      （修正有）【課題】インジケータに用いられる発光部材によって、意匠パネルに光透けが生じない携帯電子機器を提供する。【解決手段】携帯電話機は、外部に露出しているインジケータ用窓部９及び載置部を含む上部筐体のリアケース５と、上部筐体のリアケース５と内面同士を対向させて接合される第２の筐体部材と、上部筐体のリアケース５の載置部に載置されることよって、載置部を覆い外観の主要部を形成する意匠パネル８と、意匠パネル８の内面側であって、載置部の一部に形成された発光部材用ＬＥＤ用開口部２２に配置されたＬＥＤ１４と、発光部材用開口部２２から前記インジケータ用窓部９にかけて配置された導光部材１１と、ＬＥＤ１４の外面側に配置される遮光部材３７と、を有している。【選択図】図８
2010193219.tif 000002
【特許請求の範囲】
【請求項１】
外部に露出しているインジケータ用窓部及び載置部を含む第１の筐体部材と、
前記第１の筐体部材と内面同士を対向させて接合される第２の筐体部材と、
前記第１の筐体部材の前記載置部に載置されることによって、前記載置部を覆い外観の主要部を形成する意匠パネルと、
前記意匠パネルの内面側であって、前記載置部の一部に形成された発光部材用開口部に配置された発光部材と、
前記発光部材用開口部から前記インジケータ用窓部にかけて配置された導光部材と、
前記発光部材の外面側に配置される遮光部材と、を有している
携帯電子機器。
【請求項２】
前記遮光部材は、前記第１の筐体部材と前記意匠パネルとを接合させる両面テープである
請求項１に記載の携帯電子機器。
【請求項３】
前記遮光部材は、黒色を有することによって遮光作用を果たしている
請求項１又は２に記載の携帯電子機器。
【請求項４】
前記遮光部材は、前記導光部材の外面側にまで伸びている
請求項１〜３いずれか１項に記載の携帯電子機器。
【請求項５】
前記導光部材は、抜け穴形状の発光部材収納部を有し、
前記発光部材収納部に発光部材が収納される
請求項１〜４いずれか１項に記載の携帯電子機器。
【請求項６】
前記発光部材収納部を構成する入射部は、前記第１の筐体部材の厚さと同一の厚さを有する
請求項１〜５いずれか１項に記載の携帯電子機器。
【請求項７】
前記導光部材は、
前記発光部材から入射される光を受ける入射面と、
入射された光と角度差を生じさせて反射させる反射面と、
反射された光が出る放射面と、を有し、
前記放射面から放出された光は、インジケータ用窓部を通って外部に照射される
請求項１〜６いずれか１項に記載の携帯電子機器。
【請求項８】
前記入射面は、発光部材を中心とした円弧状の形状を有する
請求項７に記載の携帯電子機器。
【請求項９】
前記発光部材と、前記遮光部材との間には隙間が設けられている
請求項１〜８いずれか１項に記載の携帯電子機器。
【請求項１０】
前記第１の筐体部材と前記第２の筐体部材との間には電子部材が実装される回路基板が配置され、
前記発光部材は、前記回路基板に実装されている
請求項１〜９いずれか１項に記載の携帯電子機器。
【発明の詳細な説明】
【技術分野】
【０００１】
本発明は携帯電話機、ＰＤＡ、携帯型ゲーム機、携帯用テレビ、携帯用ラジオ等の携帯電子機器に関する。
【背景技術】
【０００２】
特許文献１には、光透けを防ぐために、外観筐体パネルと外装構造パネルとの間に遮光部材（黒色）を配置する携帯電子機器が記載されている。
また、携帯電子機器に、電話の着信及び電子メールの着信等の情報をユーザに通知するためのインジケータを配置することが行われている。このインジケータによる表示は、携帯電話機内部に配置された発光部材を発光させ、この光を携帯電話機の外部に照射することによってなされている。
さらにまた、意匠性を高めるために筐体の表面に意匠パネルを配置し、意匠パネルの直下にインジケータ様の発光部材を配置することも行われている。
【先行技術文献】
【特許文献】
【０００３】
【特許文献１】特開２００６―２０３４６０号公報
【発明の概要】
【発明が解決しようとする課題】
【０００４】
しかし、意匠パネルは単に意匠性を追求するものであることからその厚さは薄く作製される。そして、厚さが薄いことから、その直下に発光部材が存在すると光透けが発生してしまう。
光透けは外観を害することから、意匠性を追求しなければならない意匠パネルにおいては望ましくない。
【０００５】
本発明の目的は、インジケータに用いられる発光部材の発光によって、意匠パネルに光透けが生じない携帯電子機器を提供することである。
【課題を解決するための手段】
【０００６】
本発明の携帯電子機器は、外部に露出しているインジケータ用窓部及び載置部を含む第１の筐体部材と、前記第１の筐体部材と内面同士を対向させて接合される第２の筐体部材と、前記第１の筐体部材の前記載置部に載置されることによって、前記載置部を覆い外観の主要部を形成する意匠パネルと、前記意匠パネルの内面側であって、前記載置部の一部に形成された発光部材用開口部に配置された発光部材と、前記発光部材用開口部から前記インジケータ用窓部にかけて配置された導光部材と、前記発光部材の外面側に配置される遮光部材と、を有している。
【０００７】
好適には、前記遮光部材は、前記第１の筐体部材と前記意匠パネルとを接合させる両面テープである。
【０００８】
好適には、前記遮光部材は、黒色を有することによって遮光作用を果たしている。
【０００９】
好適には、前記遮光部材は、前記導光部材の外面側にまで伸びている。
【００１０】
好適には、前記導光部材は、抜け穴形状の発光部材収納部を有し、前記発光部材収納部に発光部材が収納される。
【００１１】
好適には、前記発光部材収納部を構成する入射部は、前記第１の筐体部材の厚さと同一の厚さを有する。
【００１２】
好適には、前記導光部材は、前記発光部材から入射される光を受ける入射面と、入射された光と角度差を生じさせて反射させる反射面と、反射された光が出る放射面と、を有し、前記放射面から放出された光は、インジケータ用窓部を通って外部に照射される。
【００１３】
好適には、前記入射面は、発光部材を中心とした円弧状の形状を有する。
【００１４】
好適には、前記発光部材と、前記遮光部材との間には隙間が設けられている。
【００１５】
好適には、前記第１の筐体部材と前記第２の筐体部材との間には電子部材が実装される回路基板が配置され、前記発光部材は、前記回路基板に実装されている。
【発明の効果】
【００１６】
本発明によると、インジケータに用いられる発光部材の発光によって、意匠パネルに光透けが生じない携帯電子機器を提供することができる。
【図面の簡単な説明】
【００１７】
【図１】本発明の実施形態に係る携帯電話機の外観を開状態で示す斜視図である。
【図２】携帯電話機の閉状態での外観の正面図である。
【図３】図２の意匠パネルの背面図である。
【図４】上部筐体のリアケースの正面図である。
【図５】図４に回路基板を実装した正面図である。
【図６】導光部材の正面図、側面図及びＣ−Ｃ断面の断面図である。
【図７】図６の導光部材の外観斜視図である。
【図８】図２におけるＶＩＩＩ−ＶＩＩＩ断面の断面図である。
【発明を実施するための形態】
【００１８】
図１は、本発明の実施形態に係る携帯電話機１の外観を開状態で示す斜視図である。
【００１９】
携帯電話機１は、いわゆる折り畳み式の携帯電話機１として構成されており、開状態と閉状態との間で互いに回動可能に連結された上部筐体２及び下部筐体３を有している。
図１は、上部筐体２及び下部筐体３の開状態を示している。
上部筐体２は、下部筐体３と対向する部分を構成する上部筐体のフロントケース４と、下部筐体３とは反対側部分を構成する上部筐体のリアケース５とを有している。
下部筐体３は、上部筐体２と対向する部分を構成する下部筐体のフロントケース６と、上部筐体２とは反対側部分を構成する下部筐体のリアケース７とを有している。
【００２０】
上部筐体のフロントケース４及び上部筐体のリアケース５は後述する手段によって互いに固定され、上部筐体のフロントケース４及び上部筐体のリアケース５の間に形成された空間に種々の電子部材を収容する収容空間を構成する。
下部筐体のフロントケース６及び下部筐体のリアケース７はネジ等により互いに固定され、下部筐体のフロントケース６及び下部筐体のリアケース７の間に形成された空間に種々の電子部材を収容する収容空間を構成する。
【００２１】
これらの上部筐体のフロントケース４、上部筐体のリアケース５、下部筐体のフロントケース６及び下部筐体のリアケース７は、たとえば、樹脂により形成されている。
また、第１筐体のフロントケースには、ＬＣＤ（液晶ディスプレイ）やＯＬＥＤ（Organic light-emitting diode（有機ＥＬ））等から構成される表示部２０も配置される。
【００２２】
図２は、携帯電話機１の閉状態での外観の正面図である。
【００２３】
携帯電話機１を上部筐体のリアケース５側から観察すると、図２のように、上部筐体のリアケース５はその長手方向の両サイドを形成する規制部１５のみが露出している。
そして、この規制部１５の間には意匠パネル８が配置されている。
意匠パネル８は上部筐体のリアケース側を観察した時には、その外観のほとんどを形成している。
また、上部筐体のリアケース５及び意匠パネル８は樹脂成型によって形成されているので、その形状をある程度自由に形成することができる。
【００２４】
上部筐体のリアケース５と意匠パネル８とが接する部分の上部筐体のリアケース５側の一部に切り欠きインジケータ用窓部９が設けられる。そして、この部分に後述する導光部材１１の放射部４０が挿入される。
後述するが、導光部材１１にはＬＥＤ１４（Ｌｉｇｈｔ  Ｅｍｉｔｔｉｎｇ  Ｄｉｏｄｅ）によって光が照射されるので、インジケータ用窓部９から光が照射される。
この光によって、ユーザに電子メールの着信及び電話の着信の情報を知らせるというインジケータの機能を発揮することができる。
なお、インジケータ機能によってユーザに通知されるのは、電子メールの着信、電話の着信に限られず、例えば、充電中及び充電完了の通知等がありうる。
【００２５】
上部筐体のリアケース５及び意匠パネル８は、下部筐体３と結合する側である長手方向の一方部分には湾曲部分１８を有している。
この湾曲部分１８は携帯電話機１を開状態と閉状態とに展開・折りたたみする時に、上部筐体のリアケース５及び意匠パネル８が下部筐体３と接触しないために設けられている。
そして、上部筐体のリアケース５及び意匠パネル８は、湾曲部分１８の間に凹み部１９を有している。この凹み部１９は上部筐体２と下部筐体３とを結合するジョイント部材が挿入されるための部分である。
【００２６】
ところで、携帯電話機１はボタン操作を行わない場合には通常閉状態を成している上に、机の上などにおかれるときには、閉状態でかつ上部筐体のリアケース５及び意匠パネル８側が上になって置かれることが多い。
それゆえ、上部筐体のリアケース５及び意匠パネル８側の外観は、携帯電話機１の外観のうちでもっとも重要な部分の一つである。そして、意匠パネル８は外観のほとんどを占めるのであるから、上部筐体のリアケース５よりも意匠パネル８の方がさらに重要である。
つまり、上部筐体のリアケース５の外観は極めて重要であるのだから、この意匠パネル８の内部側に配置された図示しないＬＥＤ１４から光透けが生じることはできるだけ避ける必要がある。
【００２７】
図３は、図２の意匠パネル８の背面図である。
【００２８】
意匠パネル８は長方形形状をしており、その長手方向の一端は湾曲部分１８を有している。
また、意匠パネル８は、平面部１６とボス部１０とを有する。そして、平面部１６は平板形状を有して、その外部側の面は携帯電話機１の外観を構成している。
【００２９】
この意匠パネル８の平面部１６の内部側面には、各角付近に各々ボス部１０が配置されている。つまり、全部で４つのボス部１０が配置されている。このボス部１０は内部側に伸びる円筒状をしており、その内部にはナットが埋め込まれている。
ナットは、射出成型によって意匠パネル８を成型する際に、一体的に形成する。もっとも、必ずしも射出成型によって一体成型する必要はなく、例えば、意匠パネル８を成型した後に、ナットを接着剤によって接着する方法や、ボス部１０を高温にして溶解させてナットを埋め込むことによることもできる。
さらに、意匠パネル８自体が強度の高い材質（強化プラスチック等）によって形成されている時には、ナット自体をなくしてしまい、後述するボルトによって直接螺着することも可能である。
また、ボス部１０の数及び位置は設計上の都合に合わせて適宜変更可能である。
【００３０】
ボス部１０は円筒形状をしており、その中心側にはボス部１０と同心円状のナットが配置されている。
【００３１】
図４は、上部筐体のリアケース５の正面図である。
【００３２】
上部筐体のリアケース５は、上部筐体のリアケース５の長手方向に伸び、上部筐体のリアケース５の長手方向における左右部分に配置される規制部１５を有している。
規制部１５は上部筐体のリアケース５の長手方向の両サイドに位置し、その長手方向の長さは、意匠パネル８と同一の長さを有している。
上部筐体のリアケース５の外観上、規制部１５は上部筐体のリアケース５の短手方向の長さの約１割程度を占めており、両サイドの規制部１５を合わせると約２割程度の長さとなっている。
この規制部１５が、上部筐体のリアケース５の短手方向の位置決めをしている。
【００３３】
そして、上部筐体のリアケース５は両サイドの規制部１５の間に載置部２１が配置されている。規制部１５と載置部２１は、上部筐体のリアケース５を長手方向から観察すると凹形状を有しており、凹んだ部分が載置部２１に該当する。この載置部２１には意匠パネル８が載置される。
【００３４】
載置部２１には複数の穴が穿かれている。複数の穴とは、４つのボス用穴２４、ＬＥＤ用開口部２２、４つの電子部品用穴部２３である。
ボス用穴２４は、円筒形のボス部１０が挿入されるための円形のボス本体用穴部から構成されている。
ＬＥＤ用開口部２２は、内部にＬＥＤ１４及び導光部材１１が配置され、図２におけるインジケータ用窓部９からＬＥＤ１４の光が携帯電話機１の外部に照射される。
また、電子部品用穴部２３は筐体内部に配設されている数々の電子部材を配置する空間を確保するために空けられている。
【００３５】
図５は、図４に回路基板３４を実装した正面図である。
【００３６】
図５のように、ＬＥＤ用開口部２２及び導光部材１１の内部にＬＥＤ１４が配置される。また、電子部品用穴部２３には電子部品４５が配置される。
【００３７】
図６は、導光部材１１の正面図、側面図及び断面図である。
図６（ａ）は導光部材１１を図５における方向から見た正面図である。
図６（ｂ）は側面から見た側面図である。
図６（ｃ）は図６（ａ）のＣ−Ｃ断面における断面図である。
【００３８】
導光部材１１は、ポリカーボネート、ウレタン、シリコン等の薄型透明部材によって形成する。これらの薄型透明部材はその中に入った光を、その内面（反射面）において反射して光を伝達するものである。
【００３９】
導光部材１１は、大きく分けて入射部３８、反射部３９及び放射部４０から構成される。
【００４０】
入射部３８は、ＬＥＤ１４を収納するためのＬＥＤ収納部４６が中央に空けられた四角い形状を有している。つまり、ＬＥＤ１４が収納された場合には、ＬＥＤ１４は入射部３８に取り囲まれる構成となる。
そして、ＬＥＤ収納部４６に、反射部３９及び放射部４０側を向いたＬＥＤ１４が配置される。
ＬＥＤ収納部４６を構成する入射部３８は、両面テープ３７によって接着されて導光部材１１と意匠パネル８との位置を固定する機能を有する。
それゆえ、両面テープ３７に接着する入射部３８は広い面積を有した方が都合がよい。
また、ＬＥＤ収納部４６を構成する入射部３８は、上部筐体のリアケース５の厚さとほぼ同一の厚さを有している。
このような構成によって、意匠パネル８が外力によって凹んだ時でも、それに対抗する力を生じさせる。
この対向する力によって、ＬＥＤ収納部４６に収納されるＬＥＤ１４にまで外力が及ぶのを防ぐ効果を有する。換言すれば、ＬＥＤ収納部４６を構成する入射部３８はＬＥＤ１４の保護部材としての効果も有する。
さらに、ＬＥＤ収納部４６を構成する入射部３８は意匠パネル８が外力によって凹んだ時でも、それに対抗する力を生じさせるのであるから、意匠パネル８が外力によって凹むこと自体を防止することができ、意匠パネル８の強度を上げる効果がある。
【００４１】
このＬＥＤ収納部４６の反射部３９及び放射部４０側には、ＬＥＤ１４から放射される光を受ける入射面４１が配置される。入射面４１はＬＥＤ１４を中心として円弧状の形状を有している。
入射面４１が円弧状の形状となっているのは、ＬＥＤ１４を放射された光が導光部材１１に入射する際に反射して導光部材１１内部に入射できなくなることを防ぐためである。
つまり、ＬＥＤ１４を中心にして円弧形状を有するということは、ＬＥＤ１４から放射された光が入射面４１にほぼ直角に入射するということを意味し、ほぼ直角に入射した光はほとんど反射されないことになる。これによって、ＬＥＤ１４から放射され入射面４１に入射した光のほとんどが導光部材１１に入射することになる。
【００４２】
反射部３９は、内部に反射面４２を形成するための溝部４８を有する直方体形状を有している。
溝部４８は底面４９に対してほぼ垂直で長方形形状の垂直面５０と、底面４９とほぼ１３５度の角度を有する長方形形状の反射面４２と、底面４９に対してほぼ垂直で直角三角形形状を有する図示しない側面から構成されている。
つまり、溝部４８は直角三角柱の形状をしている。
【００４３】
反射面４２は、入射した光を反射して、後述する放射部４０に導く役目を有している。
入射面４１から入射した光はほぼ４５度の入射角を有し、それにともない反射角も同様にほぼ４５度である。
反射面４２は特に反射部材を設けていないが、一定以上の角度を有して入射した光はほぼ全て全反射するという導光部材１１の性質によって、単に面を切っただけで反射が行われる。
【００４４】
放射部４０は直方体形状を有している。そして、上部筐体のリアケース５の規制部１５に空けられたインジケータ用窓部９に、放射部４０は挿入される。そして、導光部材１１のうち放射部４０の放射面４３のみが外部に露出する。
放射部４０は反射部３９によって反射された光を放射面４３から外部に放射する役割を有する。
【００４５】
このような構成によって、ＬＥＤ１４から放射された光は入射部３８の入射面４１から導光部材１１内部に入射し、入射した光は反射部３９の反射面４２によって反射され、反射した光は放射部４０の放射面４３から放射される。
そして、放射面４３から放射された光はユーザによって視認される。ユーザは点灯等の有無、点灯の色及び点灯の間隔等から様々な情報を得ることができる。つまり、ＬＥＤ１４及び導光部材１１はインジケータの役割を果たすことになる。
【００４６】
ところで、反射部３９は、溝部４８があることによって、反射面４２に対向する位置に張出部４７を有する。
何故、張出部４７が必要なのか説明する。
導光部材１１の放射面４３は外部に露出している。このような外部に露出している部材はユーザ等によって指又は他の部材によって押し込まれることがある。
その場合に、張出部４７が無いと、放射部４０が中に押し込まれたままとなり、インジケータ用窓部９に挿入された状態に戻らなくなる虞がある。
そこで、張出部４７を配置し、ユーザ等による押し込みに耐えられる構造としたものである。
【００４７】
図７は、図６の導光部材１１の外観斜視図である。
【００４８】
図８は、図２におけるＶＩＩＩ−ＶＩＩＩ断面の断面図である。
【００４９】
図８において意匠パネル８が最も外部側方向位置に配置され、その内部側方向の上部筐体のリアケース５と両面テープ３７によって固定されている。
上部筐体のリアケース５にはＬＥＤ用開口部２２及びインジケータ用窓部９が空けられており、この部分に、入射面４１、反射面４２及び放射面４３を有する導光部材１１が配置される。
この導光部材１１に空けられたＬＥＤ用開口部２２の内部にＬＥＤ１４が配置される。
ＬＥＤ１４は、例えば、赤・緑・青のそれぞれを表示する発光ダイオードのセットによって、構成されている。
ＬＥＤ１４と意匠パネル８（両面テープ３７）との間には隙間５６が設けられている。なぜなら、意匠パネル８が外圧によって凹んだ時に、隙間５６がなく密着していると、その外力がＬＥＤ１４に直接加わりＬＥＤ１４を破壊してしまう恐れがある。
そこで、意匠パネル８が多少凹んでもＬＥＤ１４に外力が加わらないように、隙間５６を設けたものである。
【００５０】
両面テープ３７は遮光可能な材料によって構成する。たとえば、黒色によって構成したり、遮光用塗装を施したり、遮光用可能な材料を蒸着することによる。
これによって、ＬＥＤ１４から発光された光は意匠パネル８を透過することを防ぐことができる。
両面テープ３７は、意匠パネル８と導光部材１１との間部分にまで伸びている。
このことによって、導光部材１１に入射した光のうち放射面４３以外の部分から放射されてしまった時に、その光が意匠パネル８を透過してユーザに視認されることを防いでいる。
【００５１】
また、両面テープ３７によって、導光部材１１は意匠パネル８と一体化することとなる。
そうすると、導光部材１１は固定されユーザ等による押しこみに堪えることができる。
特に、ＬＥＤ収納部４６を構成する入射部３８があることによって、確実に導光部材１１は固定される。
【００５２】
さらに、両面テープ３７によって、意匠パネル８と上部筐体のリアケース５とは面的に接合されることになる。
そうすると、意匠パネル８と上部筐体のリアケース５とを一体の部材として考えることができ、別個の部材として考えた場合よりも強度を上げることができる。
【００５３】
さらに、シート状でかつ薄い両面テープ３７によって意匠パネル８と上部筐体のリアケース５とを固定しているのであるから、体積を取るネジ等の結合のための機構が不要となる。
そして、体積を取る部材が省略されるのであるから、携帯電話機１を薄く構成することができる。
【００５４】
さらにまた、ＬＥＤ１４の光は両面テープ３７によって遮光されるのであるから、遮光のために意匠パネル８を黒色で構成する必要性がなくなる。
このことは、意匠パネル８に対する色選択の自由度を向上させ、デザイン上極めて有利である。
【００５５】
上部筐体のリアケース５の内部側方向には、ＬＥＤ１４実装されている回路基板３４が配置されている。
この回路基板３４の内部側方向には上部筐体のフロントケース４のインサート板金３５が配置されている。上部筐体のフロントケース４は、このインサート板金３５だけではなく、携帯電話機１の外観等を構成する樹脂部分３６をも有している。
上部筐体のフロントケース４は、金型内部にインサート板金３５を固定した状態で高温となった樹脂を流し込んで樹脂部分３６を、インサート板金３５と一体的に構成する。
【００５６】
インサート板金３５の内部側には、液晶パネル３２を振動等から保護するために振動防止ラバー５５が配置される。
そして、この振動防止ラバー５５を介してインサート板金３５に固定される表示部２０の一部である液晶パネル３２が、インサート板金３５の内部側方向に配置される。
【００５７】
液晶パネル３２の内部側方向であって、内部側方向における表面部分にはウインドウ３０が配置される。ウインドウ３０は特殊な表面処理を行ったガラス等によって構成されている。ウインドウ３０は、液晶パネル３２をユーザによる引っ掻き等から保護するためのものである。
ウインドウ３０の外部側方向位置には飛散防止フィルム２９が配置される。万一、ウインドウ３０が割れた時にその破片が飛散することを防止するためである。
【００５８】
以上の実施形態によれば、携帯電話機１は、外部に露出しているインジケータ用窓部９及び載置部２１を含む上部筐体のリアケース５と、上部筐体のリアケース５と内面同士を対向させて接合される第２の筐体部材と、を有している。
また、上部筐体のリアケース５の載置部２１に載置されることよって、載置部２１を覆い外観の主要部を形成する意匠パネル８と、意匠パネル８の内面側であって、載置部２１の一部に形成された発光部材用開ＬＥＤ用開口部２２に配置されたＬＥＤ１４と、を有している。
さらに、発光部材用開口部２２から前記インジケータ用窓部９にかけて配置された導光部材１１と、ＬＥＤ１４の外面側に配置される遮光部材３７と、を有している。
この様な構成によって、インジケータ機能を発揮させつつ、ＬＥＤ１４から発光された光が意匠パネル８を透過することを防ぐことができる。
さらに、このような構成によって、遮光のために意匠パネル８を黒色で構成する必要性がなくなり、意匠パネル８に対する色選択の自由度を向上させ、デザイン上極めて有利である。
【００５９】
また、両面テープ３７は、上部筐体のリアケース５と意匠パネル８とを接合させる両面テープ３７である。
このような構成によって、上部筐体のリアケース５と意匠パネル８とを接合させつつ遮光機能をも果たすことができる。
さらに、シート状でかつ薄い両面テープ３７によって意匠パネル８と上部筐体のリアケース５とを固定しているのであるから、体積を取るネジ等の結合のための機構が不要となる。そして、体積を取る部材が省略されるのであるから、携帯電話機１を薄く構成することができる。
さらにまた、このような構成、つまり両面テープ３７によって意匠パネル８と上部筐体のリアケース５とは面的に接合されるという構成によって、意匠パネル８と上部筐体のリアケース５とを一体の部材として考えることができる。このことは、意匠パネル８と上部筐体のリアケース５別個の部材として考えた場合よりも強度を上げることができる。
【００６０】
また、両面テープ３７は、黒色を有することによって遮光作用を果たしている。
このような構成によって、特別な処理を両面テープ３７に施す必要がなくなるという効果がある。
【００６１】
また、両面テープ３７は、導光部材１１の外面側にまで伸びている。
このような構成によって、導光部材１１から漏れる光が意匠パネル８を透過することがなくなる。
【００６２】
また、導光部材１１は、抜け穴形状のＬＥＤ収納部４６を有し、ＬＥＤ収納部４６に発光部材１４が収納される。
このような構成によって、導光部材１１は両面テープ３７と接着されて固定されるのに十分な面積を有することができる。
【００６３】
ＬＥＤ収納部４６を構成する入射部３８は、上部筐体のリアケース５の厚さと同一の厚さを有する
さらに、このような構成によって、ＬＥＤ収納部４６を構成する入射部３８は意匠パネル８が外力によって凹んだ時でも、それに対抗する力を生じさせることができる。そして、意匠パネル８が外力によって凹むこと自体を防止することができるのであるから、意匠パネル８の強度を上げる効果がある。
さらに、意匠パネル８が容易には凹まないのであるから、ＬＥＤ１４を保護することができる。
【００６４】
さらに、導光部材１１は、ＬＥＤ１４から入射される光を受ける入射面４１と、入射された光と角度差を生じさせて反射させる反射面４２と、反射された光が出る放射面４３と、を有し、放射面４３から放出された光は、インジケータ用窓部９を通って外部に照射される。
このような構成によって、ＬＥＤ１４から放射された光を確実にインジケータ用窓部９に導くことができる。そして、インジケータとしての機能を果たすことができる。
【００６５】
さらに、入射面４１は、発光部材１４を中心とした円弧状の形状を有する。
このような構成によって、ＬＥＤ１４から放射された光を確実に導光部材１１に入射させることができる。
【００６６】
さらにまた、ＬＥＤ１４と、前記遮光部材３７との間には隙間５６が設けられている
このような構成によって、意匠パネル８が多少凹んでもＬＥＤ１４にまで外力が加わらない。換言すれば、外力によってＬＥＤ１４が毀損するのを防ぐことができる。
【００６７】
上部筐体のリアケース５と上部筐体のフロントケース４との間には電子部材が実装される回路基板３４が配置され、前記発光部材１４は、前記回路基板３４に実装されている。
このような構成によって、ＬＥＤ１４の位置決めを容易に行うことができる。
【００６８】
なお、以上の実施形態において、上部筐体のフロントケース４は本発明の第２の筐体部材の一例であり、上部筐体のリアケース５は第１の筐体部材の一例である。
また、ＬＥＤ１４は発光部材の一例であり、他に光を発するものであれば置き換えることが可能である。ＬＥＤ用開口部２２は発光部材用開口部の一例である。
【００６９】
さらに、両面テープ３７は遮光部材の一例であり、他に、遮光機能を有するものであれば置き換えることが可能である。両面テープ３７は、遮光機能を有する接着材に置き換え可能である。加えて、両面テープ３７は表面に遮光処理を施したシート部材に置き換え可能である。
また、ＬＥＤ収納部４６は本発明における発光部材収納部の一例である。
【００７０】
本発明は、以上の実施形態に限定されず、種々の態様で実施されてよい。
【００７１】
携帯電子機器は、携帯電話機１に限定されない。例えば、携帯電子機器は、ノートパソコン、ＰＤＡ、ゲーム機、カメラであってもよい。
また、携帯電子機器は、折り畳み式のものに限定されない。ケースが一体的に構成されたもの（１つのみのケース）であってもよい。
【符号の説明】
【００７２】
１…携帯電話機、２…上部筐体、３…下部筐体、４…上部筐体のフロントケース（第２の筐体部材）、５…上部筐体のリアケース（第１の筐体部材）、６…下部筐体のフロントケース、７…下部筐体のリアケース、８…意匠パネル、９…インジケータ用窓部、１０…ボス部、１１…導光部材、１４…ＬＥＤ（発光部材）、１５…規制部、１６…平面部、１８…湾曲部分、１９…凹み部、２０…表示部、２１…載置部、２２…ＬＥＤ用開口部（発光部材用開口部）、２３…電子部品用穴部、２４…ボス用穴、２７…薄肉部、２９…飛散防止フィルム、３０…ウインドウ、３１…ボルト挿入部、３２…液晶パネル、３４…回路基板、３５…インサート板金部、３６…樹脂部分、３７…両面テープ（遮光部材）、３８…入射部、３９…反射部、４０…放射部、４１…入射面、４２…反射面、４３…放射面、４４…ＬＥＤ用開口部、４５…電子部品、４６…ＬＥＤ収納部（発光部材収納部）、４７…張出部、４８…溝部、４９…底面、５０…垂直面、５５…振動防止ラバー、５６…隙間
【図１】
2010193219.tif 000003
【図２】
2010193219.tif 000004
【図３】
2010193219.tif 000005
【図４】
2010193219.tif 000006
【図５】
2010193219.tif 000007
【図６】
2010193219.tif 000008
【図７】
2010193219.tif 000009
【図８】
2010193219.tif 000010